(57)【要約】【課題】  本来の位置以外にギヤまたはプーリをセットできないようにするプラスチック成形品を提供する。【解決手段】  ギヤまたはプーリを含む回転体１と、その回転体１を保持する保持体３からなるプラスチック成形品において、回転体１のリブ６上に凸形状部７、８を設け、保持体３の凸形状部対応位置に凹形状部９、１０を設け、かつその組み合わせが回転体ごとに固有である。【選択図】  図１
2006183689.tif 000002
【特許請求の範囲】
【請求項１】
複数の回転体と、各回転体を個別に保持するボスを備えた保持体とからなるプラスチック成形品において、前記各回転体の中心部から外径方向へ延びるリブ上に凸形状部を設け、前記各保持体側には前記凸形状部が嵌合する環状の凹形状部を前記ボスと同心円状に設け、前記凸形状部の位置は各回転体毎に異なることを特徴とするプラスチック成形品。
【請求項２】
複数の回転体と、各回転体を個別に保持するボスを備えた保持体とからなるプラスチック成形品において、前記各回転体の中心部から外径方向へ延びるリブ上に凹形状部を設け、前記各保持体側には前記凹形状部が嵌合する環状の凸形状部を前記ボスと同心円状に設け、前記凹形状部の位置は各回転体毎に異なることを特徴とするプラスチック成形品。
【請求項３】
複数の回転体と、各回転体を個別に保持するボスを備えた保持体とからなるプラスチック成形品において、
前記ボスの外径側には、該ボスと同心円状で半径が異なる２つの環状リブを設け、２つの環状リブ間に前記回転体の一部を嵌合配置し、前記２つの環状リブの位置は嵌合する各回転体毎に異なることを特徴とするプラスチック成形品。
【請求項４】
複数の回転体と、各回転体を個別に保持するボスを備えた保持体とからなるプラスチック成形品において、
前記ボスの外径側には、該ボスと同心円状の環状リブを設け、該環状リブを前記回転体の一部に嵌合させ、前記環状リブの位置は嵌合する各回転体毎に異なることを特徴とするプラスチック成形品。
【発明の詳細な説明】
【技術分野】
【０００１】
本発明は、ギヤまたはプーリを含む回転体と、その回転体を保持する保持体からなるプラスチック成形品に関する。
【背景技術】
【０００２】
駆動系のギヤボックスのように、類似した複数のギヤを同一部品にセットする場合、従来ではセットミスを防ぐために各ギヤと、各ギヤをセットする各ボス付近に夫々同一番号を刻印することでセットミスを防いでいた。
【発明の開示】
【発明が解決しようとする課題】
【０００３】
しかし、部品サイズが小さい場合など、識別のための刻印を判別しにくいことがあり、外径や内径が同じであるような酷似した複数のギヤを同一部品にセットするときに、本来の位置とは異なる位置にセットしまう不具合（セットミス）が発生する。
本発明は、本来の位置以外にギヤまたはプーリをセットできないようにするプラスチック成形品を提供することを目的とする。
【課題を解決するための手段】
【０００４】
上記目的を達成するために、請求項１記載の発明は、複数の回転体と、各回転体を個別に保持するボスを備えた保持体とからなるプラスチック成形品において、前記各回転体の中心部から外径方向へ延びるリブ上に凸形状部を設け、前記各保持体側には前記凸形状部が嵌合する環状の凹形状部を前記ボスと同心円状に設け、前記凸形状部の位置は各回転体毎に異なることを特徴とする。
請求項２の発明は、複数の回転体と、各回転体を個別に保持するボスを備えた保持体とからなるプラスチック成形品において、前記各回転体の中心部から外径方向へ延びるリブ上に凹形状部を設け、前記各保持体側には前記凹形状部が嵌合する環状の凸形状部を前記ボスと同心円状に設け、前記凹形状部の位置は各回転体毎に異なることを特徴とする。
請求項３の発明は、複数の回転体と、各回転体を個別に保持するボスを備えた保持体とからなるプラスチック成形品において、前記ボスの外径側には、該ボスと同心円状で半径が異なる２つの環状リブを設け、２つの環状リブ間に前記回転体の一部を嵌合配置し、前記２つの環状リブの位置は嵌合する各回転体毎に異なることを特徴とする品。
請求項４の発明は、複数の回転体と、各回転体を個別に保持するボスを備えた保持体とからなるプラスチック成形品において、前記ボスの外径側には、該ボスと同心円状の環状リブを設け、該環状リブを前記回転体の一部に嵌合させ、前記環状リブの位置は嵌合する各回転体毎に異なることを特徴とする。
【発明の効果】
【０００５】
請求項１記載の発明は、ギヤまたはプーリを含む回転体と、その回転体を保持する保持体からなるプラスチック成形品において、回転体のリブ上に凸形状部を設け、保持体の凸形状部対応位置に凹形状部を設け、かつその組み合わせが回転体ごとに固有とすることで、回転体のセットミスを防止することができる。
請求項２記載の発明は、ギヤまたはプーリを含む回転体と、その回転体を保持する保持体からなるプラスチック成形品において、回転体のリブ上に凹形状部を設け、保持体の凹形状部対応位置に凸形状部を設け、かつその組み合わせが回転体ごとに固有とすることで、回転体のセットミスを防止することができる。
請求項３記載の発明は、ギヤまたはプーリを含む回転体と、その回転体を保持する保持体からなるプラスチック成形品において、保持体に、ボスと同心円の半径が異なる２つのリブを設け、２つのリブの溝部に回転体の一部を保持することで、回転体のセットミスを防止することができる。
請求項４記載の発明は、ギヤまたはプーリを含む回転体と、その回転体を保持する保持体からなるプラスチック成形品において、保持体に、ボスと同心円でかつ回転体ごとに固有のリブを設け、このリブで回転体を保持することで、回転体のセットミスを防止することができる。
【発明を実施するための最良の形態】
【０００６】
以下、本発明の実施の形態を図面に従って説明する。
図１は本発明の第１の実施形態に係るプラスチック成形品の構成図（一部断面全体図とその各部の斜視図）である。互いに噛み合う回転体としてのギヤ１とギヤ２の各中心孔１ａ、２ａが夫々保持体３のボス４とボス５にセットされている。ギヤ１、２には、それぞれ中心部から放射状に延びる各リブ６−１、リブ６−２の下面に、各ギヤの中心部からの径方向距離が異なる凸形状部７、凸形状部８を持つ。また保持体３には、ボス（保持体）４とボス（保持体）５を中心としたそれぞれ半径が異なる環状溝である凹形状部９、凹形状部１０を設けている。各凸形状部７、８は、夫々対応する位置にある凹形状部９、１０内に嵌合可能に構成されている。
これにより、ギヤ１はボス４に対してのみ、ギヤ２はボス５に対してのみ、正規の位置にセットすることができる。例えば、ギヤ１の中心孔１ａをボス５にセットしようとすると、ギヤ１の凸形状部７が保持体３に干渉して（凹形状部１０に嵌らないので）、セットすることができない。
図２は本発明の第２の実施形態に係るプラスチック成形品の構成図（一部断面図と各部の斜視図）である。ギヤ１１の中心部から放射状に延びるリブ１２の下面に設けた凹形状部１３と保持体１４側に突設した凸形状部１５の組合せにより、ギヤ１１はボス（保持体）１６の位置でのみ正規の位置にセットすることができる。
つまり、この実施形態は、凸形状部と凹形状部の配置を、図１の例とは逆にしたものであり、図１の場合と同様にギヤの誤セットを防止できる。
次に、図３は本発明の第３の実施形態に係るプラスチック成形品の構成図（一部断面図と各部の斜視図）である。リブが無いギヤ２１の外周の歯（ギヤ山は図示を省略）の部分を挟み込むように、保持体２２側にボス（保持体）２３を中心とした同心円状の外側環状リブ２４、内側環状リブ２５を設けている。これにより、ギヤ２１はリブ２４、２５間の環状の隙間内に所定の余裕度をもって嵌合され、ボス２３にその中心孔２１ａを嵌合した場合のみ正しくセットすることができる。
【０００７】
図４は本発明の第４の実施形態に係るプラスチック成形品の構成図（断面図）である。この実施形態では、内径側部分と外径側部分の軸方向長が異なる複数のギヤを夫々異なったボス部にセットする場合の誤セットを防止する構造に関する。
まず、内径側部分３１ａと外径側部分３１ｂの軸長が異なる（外径側部分の方が短い）ギヤ３１の中心孔を、保持体３２から突設したボス（保持体）３３に嵌合しようとしたときに、内径側部分３１ａと外径側部分３１ｂとの間の環状の凹所内に、保持体３２から突設した環状のリブ３４が嵌合することによって初めてギヤ３１がボス３３に対して正規にセットできるように構成している。これにより、ギヤ３１はリブ３４に規制され、ボス３３に対して中心孔を嵌合したときのみ正規の位置にセットすることができる。他方のギヤ３５についても同様の構成を採用している。ただ、内径側部分３５ａと外径側部分３５ｂ間の間隔、或いは外径側部分の軸方向長がギヤ３１と異なるため、保持部３２側に設けたリブ３７はギヤ３５に対してのみ整合することができる。
つまり、ギヤ３１とギヤ３５は、保持体３２のボス３３とボス（保持体）３６に夫々専用的にセット可能に構成されている。ギヤ３１、３５には、それぞれのボス３３、３６を中心とした高さが異なる円形状のリブ３４、３７を設けている。これにより、ギヤ３１はその中心孔をボス３３に嵌合させた時のみ、またギヤ３５はその中心孔をボス３６に嵌合させた時のみ、セットすることができる。ギヤ３１をボス３６の位置へセットしようとすると、ギヤ３１の軸長とリブ３７の高さが合わないため、正規の位置にセットすることができない。また、セット位置が正しく、表と裏を逆にセットしようとした場合も、ギヤの軸長とリブの高さが合わないため、正規の位置にセットすることができない。
本発明の誤セット防止のための構造は、ギヤに限らず、プーリ、ローラ、その他、あらゆる回転体と、それを保持する保持体との係合関係に適用することができる。
【図面の簡単な説明】
【０００８】
【図１】本発明の第１の実施形態に係るプラスチック成形品の構成図（一部断面全体図とその各部の斜視図）である。
【図２】本発明の第２の実施形態に係るプラスチック成形品の構成図（一部断面図と各部の斜視図）である。
【図３】本発明の第３の実施形態に係るプラスチック成形品の構成図（一部断面図と各部の斜視図）である。
【図４】本発明の第４の実施形態に係るプラスチック成形品の構成図（断面図）である。
【符号の説明】
【０００９】
１、２  ギヤ（回転体）、３  保持体、４、５  ボス（保持体）、６−１、６−２  リブ、７、８  凸形状部、９、１０  凹形状部
【図１】
2006183689.tif 000003
【図２】
2006183689.tif 000004
【図３】
2006183689.tif 000005
【図４】
2006183689.tif 000006